(57)【要約】  第一磁石（３）を靴（２）の第一部分領域（５）に設置するための第一固定要素（４）と共に第一磁石（３）を、第二磁石（６）を靴（２）の第二部分領域（７）、又は  靴（２）に隣接する領域に設置するための第二固定要素（８）と共に第二磁石（６）を含み、そのとき少なくとも１つの第一磁石（３）が少なくとも１つの第二磁石（６）に対して摺動可能に支持され、そのとき第一磁石（３）及び第二磁石（６）がハルバッハアレイの原理に従って配列される、靴（２）の中又は近傍に配置できるばね及び減衰要素（１）。  【選択図】図１
2016514577.tif 000002
【特許請求の範囲】
【請求項１】
第一磁石（３）を靴（２）の第一部分領域（５）に設置するための第一固定要素（４）と共に第一磁石（３）を、第二磁石（６）を前記靴（２）の第二部分領域（７）又は前記靴（２）に隣接する領域に設置するための第二固定要素（８）と共に第二磁石（６）を含み、そのとき少なくとも１つの第一磁石（３）が少なくとも１つの第二磁石（６）に対して摺動可能に支持され、前記第一磁石（３）及び前記第二磁石（６）がハルバッハアレイの原理によって配列されることを特徴とする、靴（２）の中又は近傍に配置できるばね及び減衰要素（１）。
【請求項２】
それぞれ１つの第一磁石（３）及び１つの第二磁石（６）が軸（９）に配向され、その軸（９）が  部分負荷（１６、１６’）の負荷軸（１０）に対して略平行に向けられることを特徴とする請求項１に記載の要素。
【請求項３】
前記第一磁石（３）の表面及び前記第二磁石（６）の表面が、多角形の合同形状を有することを特徴とする請求項１から２のいずれか一項に記載の要素。
【請求項４】
前記第一固定要素（４）と共に前記第一磁石（３）が、及び／又は前記第二固定要素（８）と共に前記第二磁石（６）が、前記靴（２）に取り外し可能に装着されていることを特徴とする請求項１から２のいずれか一項に記載の要素。
【請求項５】
前記第一磁石（３）が第一靴底部分領域（１１）に、及び前記第二磁石（６）が  第二靴底部分領域（１２）に配置されることを特徴とする請求項１から２のいずれか一項に記載の要素。
【請求項６】
前記第一磁石（３）が前記靴（２）の第一軸部分領域に、及び前記第二磁石（６）が第二軸部分領域に配置されることを特徴とする請求項１から３のいずれか一項に記載の要素。
【請求項７】
前記第一磁石（３）及び／又は前記第二磁石（６）が異なる磁界強度を有する個々の磁石を具有することを特徴とする請求項１から４のいずれか一項に記載の要素。
【請求項８】
前記第一磁石（３）及び前記第二磁石（６）がそれぞれ同極を有する個々の磁石を含むことを特徴とする請求項１から５のいずれか一項に記載の要素。
【請求項９】
前記第一磁石（３）及び前記第二磁石（６）がそれぞれ異極を有する個々の磁石を含み、そのとき異なる極を持つ個々の磁石である前記第一磁石（３）の個々の磁石の１つ及び前記第二磁石（６）の個々の磁石の１つが向かい合って配置されることを特徴とする請求項１から６のいずれか一項に記載の要素。
【請求項１０】
前記第一固定要素（４）及び前記第二固定要素（８）が多角形の運動線に沿って互いに対して摺動可能に支持されることを特徴とする請求項１から７のいずれか一項に記載の要素。
【請求項１１】
前記第一固定要素（４）及び前記第二固定要素（８）が互いに対して点又は軸を中心に回転可能に支持されることを特徴とする請求項１から７のいずれか一項に記載の要素。
【請求項１２】
前記本発明の要素（１）がさらなるばね及び減衰要素（１５）と結合していることを特徴とする請求項１から９のいずれか一項に記載の要素。
【発明の詳細な説明】
【技術分野】
【０００１】
本発明は、第一磁石を靴の第一部分領域に設置するための第一固定要素と共に第一磁石を、第二磁石を靴の第二部分領域又は靴に隣接して設置するための第二固定要素と共に第二磁石を含み、そのとき少なくとも１つの第一磁石が少なくとも１つの第二磁石に対し摺動可能に支持される、靴の中又は近傍に配置できるばね及び減衰要素に関する。
【背景技術】
【０００２】
靴中のばね及び減衰要素は個々の磁石が十分近く接近したとき、２つの同極の個々の磁石の反発の原理によって作用する。反発力は従来技術の磁石の配置のとき、第一磁石及び第二磁石の間隔によって決まる。
【０００３】
（特許文献１）は、靴用の２つの磁石を含むばね及び減衰要素を開示する。以下に開示される発明とは異なり、個々の磁石はハルバッハアレイ効果に従って配列されない。
【０００４】
（特許文献２）は同様に、靴のばね及び減衰要素としての個々の磁石を含む磁石の使用を説明する。同様に（特許文献２）にも個々の磁石のハルバッハアレイによる特殊な配列についての示唆はない。
【先行技術文献】
【特許文献】
【０００５】
【特許文献１】米国特許第７６９４４４０Ｂ１号明細書
【特許文献２】米国公開特許第２０１０００１１６１６明細書
【非特許文献】
【０００６】
【非特許文献１】Ｊ．Ｅ．Ｈｉｌｔｏｎ，  Ｓ．Ｍ．  ＭｃＭｕｒｒｙ，  Ａｎ  ａｄｊｕｓｔａｂｌｅ  ｌｉｎｅａｒ  Ｈａｌｂａｃｈ  ａｒｒａｙ，  Ｊｏｕｒｎａｌ  ｏｆ  Ｍａｇｎｅｔｉｓｍ  ａｎｄ  Ｍａｇｎｅｔｉｃ  Ｍａｔｅｒｉａｌｓ，  ３２４（２０１２）  ｐ．２０５１−２０５６
【非特許文献２】Ｋ．  Ｈａｌｂａｃｈ，  Ｄｅｓｉｇｎ  ｏｆ  ｐｅｒｍａｎｅｎｔ  ｍｕｌｔｉｐｏｌｅ  ｍａｇｎｅｔｓ  ｗｉｔｈ  ｏｒｉｅｎｔｅｄ  ｒａｒｅ  ｅａｒｔｈ  ｃｏｂａｌｔ  ｍａｔｅｒｉａｌ，  Ｎｕｃｌｅａｒ  ｉｎｓｔｒｕｍｅｎｔｓ  ａｎｄ  ｍｅｔｈｏｄｓ  １６９  （１９８０）  ｐ．  １−１０
【非特許文献３】Ｊ．Ｃ．  Ｍａｌｌｉｎｓｏｎ，  Ｏｎｅ−ｓｉｄｅ  ｆｌｕｘｅｓ  −  ａ  ｍａｇｎｅｔｉｃ  ｃｕｒｉｏｓｉｔｙ？，  ＩＥＥＥ  ｔｒａｎｓａｃｔｉｏｎｓ  ｏｎ  ｍａｇｎｅｔｉｃｓ，  Ｖｏｌ．  ｍａｇ−９，  Ｎｏ．  ４，  Ｄｅｃｅｍｂｅｒ  １９７３
【非特許文献４】ｈｔｔｐ：／／ｅｎ．ｗｉｋｉｐｅｄｉａ．ｏｒｇ／ｗｉｋｉ／Ｈａｌｂａｃｈ  ａｒｒａｙ
【発明の概要】
【発明が解決しようとする課題】
【０００７】
以下に論じられる発明は、靴中のばね及び減衰要素としての磁石の使用を課題とし、そのとき磁石の特殊な配列による磁石の作用の仕方は、必要な磁石の数を最小限にするために最適に利用し尽くされるべきである。
【０００８】
従来技術の磁石はかなり重く、それは靴中、特に運動靴中での使用に適さない。
【０００９】
靴中の磁石の配置には、例えば地面上にある金属物質を靴中にある磁石によって引付ける効果もある。
【００１０】
以下に開示される発明はこの短所を克服する。
【課題を解決するための手段】
【００１１】
本発明のばね及び減衰要素は、第一磁石及び第二磁石がハルバッハアレイの原理によって配列されることを特徴とする。
【発明の効果】
【００１２】
１つの第一磁石及び１つの第二磁石の個々の磁石の配列は例えば（非特許文献１）に解説されている。また  （非特許文献２）、及び  （非特許文献３）も参照されている。ハルバッハアレイによる配列には、磁界が第一及び第二磁石間の領域で収束されるという効果がある。これは本発明の課題にとって、第一磁石及び第二磁石の数量が、従来技術による装置に比較して低減される点において有利である。磁界の収束によって靴中に配置された磁石が金属物質を引付けるという短所は解決される。磁界の収束は本発明の開示の枠内で、強化された磁気流を有する（靴底内の）領域及び弱化された磁気流を有するさらなる領域（靴底の外領域）が設けられると理解される。
【００１３】
第一磁石と第二磁石間の反発力は、磁界が収束されるため、ハルバッハアレイによる配列によって有利に影響される。
【００１４】
本発明の要素は、それぞれ１つの第一磁石及び１つの第二磁石が１つの軸に整列されるように構築されることができ、その軸は部分負荷の負荷軸に対して略平行に向けられる。好適には第一磁石及び第二磁石が軸に対して垂直に配向される。
【００１５】
そのような構造は、特に統一された負荷及びその結果として生じた負荷方向の場合に有利である。
【００１６】
第一磁石の表面及び第二磁石の表面は多角形の合同形状を有することができるため、  第一磁石及び第二磁石は互いに相関する摺動のとき、反発力を、磁石の表面に応じて、複数の方向に生成できる。
【００１７】
第一固定要素と共に第一磁石が、及び／又は第二固定要素と共に第二磁石が、靴に取り外し可能に装着されることができる。固定要素は、例えば差し込み及び／又はネジ接続のような従来技術の接続手段を使って靴に装着できる。
【００１８】
第一固定要素及び／又は第二固定要素は接着層であることができる。
【００１９】
靴中にあるばね及び減衰要素が着用者により簡単に別のばね及び減衰要素と交換されることができるように、有利にはばね及び減衰要素はモジュール式に構築される。取り外し可能なばね及び減衰要素の装着は、例えば従来技術による機械的接続方法で行われる。
【００２０】
その中に本発明の要素が配置される靴の部分領域は例えば芯であることができる。
【００２１】
靴は例えばランニングシューズ、スキー靴やクロスカントリースキー靴などのスポーツ用靴であることができる。
【００２２】
本発明は、第一磁石が靴の部分領域中に、第二磁石が靴に隣接する領域に配置されることを排除しない。例えば第一磁石をクロスカントリースキー靴の底領域に、第二磁石を靴に隣接する領域、例えばスキーを接続する接触面に配置することができる。ここで模範例として説明された靴に隣接して設置された領域は、靴と機能的に連携する。
【００２３】
本発明の要素は例えばスキー靴の留め金のような、着用者の足に適応させるための装置の中にも配置できる。要素の配置によって留め金の張力が制限されることができる。
【００２４】
本発明の要素の可能な適用は、第一磁石を第一靴底部分領域に、第二磁石を第二靴底部分領域に配置することを特徴とする。
【００２５】
本発明の要素は靴の底領域の垂直及び水平の負荷の緩衝及び減衰のために配置されることができる。垂直力は例えば着用者自身の体重又は着用者の運動経過によって生じうる。水平負荷は着用者の加速又は制動のときに生じる。
【００２６】
ここに開示される発明は、着用者、特にその関節にかかる負荷を低減することを課題とする。
【００２７】
靴の軸は靴の着用時に着用者によって伸張される。この伸張の原因は例えば足の変形、進行過程が原因である。本発明の要素のさらなる適用は、第一磁石を靴の第一軸部分領域に、第二磁石を第二軸部分領域に配置することを特徴とすることができる。
【００２８】
第一磁石及び／又は第二磁石は異なる磁界強度を有する個々の磁石を具備することができる。異なる磁界強度によって異なるばね及び減衰性質を有するゾーンが本発明の要素に生じる。
【００２９】
第一磁石及び第二磁石はそれぞれ同極の個々の磁石を含むことができる。
【００３０】
第一磁石及び第二磁石はそれぞれ異極の個々の磁石を含むことができ、そのとき、その個々の磁石が異なる極を持つ、第一磁石の個々の磁石の１つ及び第二磁石の個々の磁石の１つが向かい合って配置される。
【００３１】
個々の磁石は、同極の個々の磁石が向かい合って配置されるように配置されるため、磁界によって反発力が生成される。
【００３２】
第一固定要素及び第二固定要素は、多角形の運動線に沿い、互いに対して摺動自在に支持されることができる。
【００３３】
第一固定要素及び第二固定要素は、点或いは軸を中心に互いに対して回動自在に支持されることができる。
【００３４】
可能な運動の種類は本発明の要素の靴中の位置付けに関連して選択できる。第一磁石の可能な動きは第二磁石と相関して負荷方向に対して略平行に行われる。
【００３５】
第一磁石の第二磁石に相関する動きは―継手とも連結して―ガイド要素及び／又は靴の可能な変形方向によって設定されることができる。靴の可能な変形方向は適用された素材の特定の性質、素材の組み合わせによって定義されることができる。例えば靴の可能な変形方向は、全方向に伸張可能な素材と補強要素との組み合わせによって達成されることができる。
【００３６】
本発明の要素はさらなるばね及び減衰要素と結合されることができる。さらなるばね及び減衰要素は例えば変形可能な素材から製造されることができる。
【図面の簡単な説明】
【００３７】
【図１】図１は靴底の踵領域にある本発明の要素の配置を示す。
【図２】図２は靴底の前方領域にある本発明の要素の配置を示す。
【発明を実施するための形態】
【実施例１】
【００３８】
図１は本発明のばねと減衰要素１を有し、第一磁石３及び第二磁石６を含む靴２を示す。第一磁石３は第一固定要素４に、第二磁石６は第二固定要素７に装着される。第一固定要素４を使って第一磁石３は靴２の第一部分領域５に装着される。これと同様に第二磁石６は第二固定要素７を使って靴２の第二部分領域８に装着される。
【００３９】
図１で分かるように、本発明の要素１は靴２の踵領域中に配置されるため、固定要素４、７は第一靴底領域１１或いは第二靴底領域１２に配置される。
【００４０】
固定要素４、７は靴２の中に、第一磁石３が第二磁石６に相関して、靴２が変形しても、動くことが可能であるように配置される。固定要素４、７は継手１７によって縁に結合され、それによって固定要素４、７相互の相関的動きが実質的に回転運動に制限される。
【００４１】
図１に示される配置は、踵を介して靴２にもたらされる負荷１６を緩衝し、減衰するという課題を担う。負荷軸１０及び第一磁石３の第二磁石６に相関する可能な動きの軸９は略平行にある。図示されたケースにおいて、軸９は磁石３、６の互いに対する可能な回転運動に対して接線方向に延びる。
【００４２】
図１に示された本発明のばね及び減衰要素１の配置は、実質的に（垂直の）負荷軸１０の方向への負荷１６による負荷のために設定される。この理由から、磁石３、６の互いに向かい合う表面は平坦に形成されている。
【００４３】
従来技術と比較して、図１に示される本発明の要素１の配置は、第一次磁石３及び第二磁石６がハルバッハアレイの原理によって配列されていることを特徴とする。ハルバッハアレイの原理による配列は図２に示される。
【００４４】
第一固定要素４及び／第二固定要素８は取り外し可能に靴２に装着される。取り外し可能な接続は、本発明の要素１の簡単な交換を可能にする、従来技術によるネジ又は差し込み接続である。着用者は要素１の交換によって、靴１にばね及び減衰性質をその臨時的要件に適合させることができる。
【００４５】
靴２は本発明の要素１に加えて、付加的に本発明の要素１に作用する、さらなるばね及び減衰要素１５を含む。
【００４６】
図２は第一磁石３及び／又は第二磁石６の個々の磁石の磁界電流に応じた、個々の磁石のハルバッハアレイによる特殊な配列（非特許文献４）を示す。図２に示された配列は個々の磁石が一列に並ぶ特殊なケースの配列である。
【実施例２】
【００４７】
図３は水平の負荷方向１０にある負荷１６のための本発明の要素１の可能な配置を示す。靴２或いは着用者に対するこのような負荷は着用者の制動又は加速のとき生じる。
【００４８】
図１に示された配置と同様に、要素１は靴２の底領域に配置される。第一固定要素４は第一靴底領域１１に、第二固定要素７は第二靴底領域１２に配置される。磁石２、６は互いに対して摺動可能に形成される。
【００４９】
磁石２、６の互いに向き合う表面は平坦に形成される。磁石２、６の表面は、運動軸１０及び軸９に対して実質的に９０°の角度で配向される。
【実施例３】
【００５０】
図４は第一靴底領域１１或いは第二靴底領域１２の中の磁石２、６の可能な配置を示し、そのとき磁石２、６の互いに向かい合う表面は多角形に形成され、互いに合同の表面を有する。磁石２、６の多角形の表面は図４で示された可能な配置のケースではピラミッド型又は（断面図で見ると）三角形である。
【００５１】
磁石２、６の多角形としての形成は、異なる負荷方向１０、１０’を有する負荷１６及び負荷１６’によって与えられた不統一な負荷により決定する。図４に示される磁石２、６は十分に接近したとき、磁石２、６の形状及び互いに対する摺動に応じて一方向への反発力を発生させる。
【実施例４】
【００５２】
図５は本発明の要素の配置のさらなる可能性を示す。図５に示された靴２は、靴底領域に配置されたばね及び減衰要素としてのさらなる要素１５を含む。さらなる要素１５は中空体を含んで形成され、そのとき中空体にはそれぞれ１つの第一磁石３及び第二磁石６が配置される。さらなる要素１５は、第一磁石３を第一靴底領域１１に設置するための第一固定要素４として、及び第二磁石６を第二靴底領域１２に設置する第二固定要素７として用いられる。
【００５３】
明瞭な表示をするために、図５では数個のみのさらなる要素１５が示される。
【００５４】
上記に説明された実施形態或いは配置は、決して発明の対象に限定して評価されるものではない。上記に説明された実施形態或いは配置は、互いに組み合わせられることもできる。
【符号の説明】
【００５５】
図面では、以下の参照符号が靴の次の要素を表す：
１．ばね及び減衰要素
２．靴
３．第一磁石
４．第一固定要素
５．第一部分領域
６．第二磁石
７．第二固定要素
８．第二部分領域
９．軸
１０．負荷軸
１１．第一靴底部分領域
１２．第二靴底部分領域
１３．なし
１４．なし
１５．さらなる要素
１６．負荷
１７．継手
【図１】
2016514577.tif 000003
【図２】
2016514577.tif 000004
【図３】
2016514577.tif 000005
【図４】
2016514577.tif 000006
【図５】
2016514577.tif 000007
【国際調査報告】
2016514577.tif 000008
2016514577.tif 000009
2016514577.tif 000010
2016514577.tif 000011
2016514577.tif 000012
2016514577.tif 000013